(57)【特許請求の範囲】
【請求項１】
入力される複数の電気信号をそれぞれ異なる波長の光信号に変換して出力する電気‐光変換手段と、
前記光信号の内の互いに隣接する波長を有する所定の光信号に対応する前記電気信号のビットが同時に光信号をオン状態とする値となる場合に該光信号の一方のオンオフ状態を変更する制御手段とを含むことを特徴とする波長多重光送信装置。
【請求項２】
入力される複数の電気信号をそれぞれ異なる波長の光信号に変換して出力する電気‐光変換手段と、
前記電気‐光変換手段の前段に設けられ、前記光信号の内の互いに隣接する波長を有する所定の光信号に対応する前記電気信号のビットが同時に光信号をオン状態とする値となる場合に該ビットの一方の値を変更する符号化手段とを含むことを特徴とする波長多重光送信装置。
【請求項３】
前記符号化手段は、値が変更されたビットの位置を示す情報を前記対応する電気信号に付加することを特徴とする請求項２記載の波長多重光送信装置。
【請求項４】
前記符号化手段は、前記対応する電気信号の所定のビット長毎に追加ビットを挿入して前記対応する電気信号のビットが同時に光信号をオン状態とする値とならないビットパターンに変換することにより値が変更されたビットの位置を示すことを特徴とする請求項３記載の波長多重光送信装置。
【請求項５】
前記符号化手段は、前記対応する電気信号のビットが同時に光信号をオン状態とする値となる場合に該ビットの後に追加ビットを挿入して前記対応する電気信号のビットが同時に光信号をオン状態とする値とならないビットパターンに変換すると共に前記追加ビットが挿入された位置を示す情報を前記対応する電気信号に付加することにより値が変更されたビットの位置を示すことを特徴とする請求項３記載の波長多重光送信装置。
【請求項６】
前記符号化手段は前記異なる波長の光信号の内の互いに隣接する波長を有する光信号の組毎に設けられることを特徴とする請求項２〜５いずれか記載の波長多重光送信装置。
【請求項７】
請求項２記載の波長多重光送信装置を含むことを特徴とする波長多重光伝送システム。
【請求項８】
前記符号化手段は、値が変更されたビットの位置を示す情報を前記対応する電気信号に付加し、
前記波長多重光送信装置からの波長多重光信号を前記複数の電気信号に変換して出力する光‐電気変換手段と、前記光‐電気変換手段の後段に設けられ前記情報を基に前記対応する電気信号を復号する復号化手段とを有する波長多重光受信装置を更に含むことを特徴とする請求項７記載の波長多重光伝送システム。
【請求項９】
前記符号化手段は、前記対応する電気信号の所定のビット長毎に追加ビットを挿入して前記対応する電気信号のビットが同時に光信号をオン状態とする値とならないビットパターンに変換することにより値が変更されたビットの位置を示すことを特徴とする請求項８記載の波長多重光伝送システム。
【請求項１０】
前記符号化手段は、前記対応する電気信号のビットが同時に光信号をオン状態とする値となる場合に該ビットの後に追加ビットを挿入して前記対応する電気信号のビットが同時に光信号をオン状態とする値とならないビットパターンに変換すると共に前記追加ビットが挿入された位置を示す情報を前記対応する電気信号に付加することにより値が変更されたビットの位置を示すことを特徴とする請求項８記載の波長多重光伝送システム。
【請求項１１】
前記符号化手段は前記異なる波長の光信号の内の互いに隣接する波長を有する光信号の組毎に設けられ、前記復号化手段は前記組毎に設けられた前記符号化手段に対応して設けられることを特徴とする請求項８〜１０いずれか記載の波長多重光伝送システム。
【請求項１２】
入力される複数の電気信号をそれぞれ異なる波長の光信号に変換して出力する電気‐光変換手段を含む波長多重光送信装置の四光波混合抑制方法であって、
前記光信号の内の互いに隣接する波長を有する所定の光信号に対応する前記電気信号のビットが同時に光信号をオン状態とする値となる場合に該光信号の一方のオンオフ状態を変更するステップを含むことを特徴とする四光波混合抑制方法。
【請求項１３】
入力される複数の電気信号をそれぞれ異なる波長の光信号に変換して出力する電気‐光変換手段を含む波長多重光送信装置の四光波混合抑制方法であって、
前記電気‐光変換手段の前段において、前記光信号の内の互いに隣接する波長を有する所定の光信号に対応する前記電気信号のビットが同時に光信号をオン状態とする値となる場合に該ビットの一方の値を変更するステップを含むことを特徴とする四光波混合抑制方法。
【請求項１４】
前記ステップは、値が変更されたビットの位置を示す情報を前記対応する電気信号に付加することを特徴とする請求項１３記載の四光波混合抑制方法。
【請求項１５】
前記ステップは、前記対応する電気信号の所定のビット長毎に追加ビットを挿入して前記対応する電気信号のビットが同時に光信号をオン状態とする値とならないビットパターンに変換することにより値が変更されたビットの位置を示すことを特徴とする請求項１４記載の四光波混合抑制方法。
【請求項１６】
前記ステップは、前記対応する電気信号のビットが同時に光信号をオン状態とする値となる場合に該ビットの後に追加ビットを挿入して前記対応する電気信号のビットが同時に光信号をオン状態とする値とならないビットパターンに変換すると共に前記追加ビットが挿入された位置を示す情報を前記対応する電気信号に付加することにより値が変更されたビットの位置を示すことを特徴とする請求項１４記載の四光波混合抑制方法。
【請求項１７】
前記ステップは前記異なる波長の光信号の内の互いに隣接する波長を有する光信号の組毎に行われることを特徴とする請求項１３〜１６いずれか記載の四光波混合抑制方法。
【請求項１８】
入力される複数の電気信号をそれぞれ異なる波長の光信号に変換して出力する電気‐光変換手段と、前記光信号の内の互いに隣接する波長を有する所定の光信号に対応する前記電気信号のビットが同時に光信号をオン状態とする値となる場合に該光信号の一方のオンオフ状態を変更する制御手段とを含む波長多重光送信装置からの波長多重光信号を前記複数の電気信号に変換して出力する光‐電気変換手段と、前記制御手段によりオンオフ状態が変更された前記一方の光信号のオンオフ状態を変更する制御手段とを含むことを特徴とする波長多重光受信装置。
【請求項１９】
入力される複数の電気信号をそれぞれ異なる波長の光信号に変換して出力する電気‐光変換手段と、前記電気‐光変換手段の前段に設けられ、前記光信号の内の互いに隣接する波長を有する所定の光信号に対応する前記電気信号のビットが同時に光信号をオン状態とする値となる場合に該ビットの一方の値を変更する符号化手段とを含む波長多重光送信装置からの波長多重光信号を前記複数の電気信号に変換して出力する光‐電気変換手段と、前記光‐電気変換手段の後段に設けられ、前記符号化手段により前記対応する電気信号に付加され値が変更されたビットの位置を示す情報を基に前記対応する電気信号を復号する復号化手段とを含むことを特徴とする波長多重光受信装置。
【請求項２０】
前記復号化手段は、前記異なる波長の光信号の内の互いに隣接する波長を有する光信号の組毎に設けられる前記符号化手段に対応して設けられることを特徴とする請求項１９記載の波長多重光受信装置。
【請求項２１】
入力される複数の電気信号をそれぞれ異なる波長の光信号に変換して出力する電気‐光変換手段と、前記光信号の内の互いに隣接する波長を有する所定の光信号に対応する前記電気信号のビットが同時に光信号をオン状態とする値となる場合に該光信号の一方のオンオフ状態を変更する制御手段とを含む波長多重光送信装置からの波長多重光信号を前記複数の電気信号に変換して出力する光‐電気変換手段を含む波長多重光受信装置の受信方法であって、
前記制御手段によりオンオフ状態が変更された前記一方の光信号のオンオフ状態を変更するステップを含むことを特徴とする受信方法。
【請求項２２】
入力される複数の電気信号をそれぞれ異なる波長の光信号に変換して出力する電気‐光変換手段と、前記電気‐光変換手段の前段に設けられ、前記光信号の内の互いに隣接する波長を有する所定の光信号に対応する前記電気信号のビットが同時に光信号をオン状態とする値となる場合に該ビットの一方の値を変更する符号化手段とを含む波長多重光送信装置からの波長多重光信号を前記複数の電気信号に変換して出力する光‐電気変換手段を含む波長多重光受信装置の受信方法であって、
前記光‐電気変換手段の後段において、前記符号化手段により前記対応する電気信号に付加され値が変更されたビットの位置を示す情報を基に前記対応する電気信号を復号するステップを含むことを特徴とする受信方法。
【請求項２３】
前記ステップは、前記異なる波長の光信号の内の互いに隣接する波長を有する光信号の組毎に設けられる前記符号化手段に対応して行われることを特徴とする請求項２２記載の受信方法。
【発明の詳細な説明】
【技術分野】
【０００１】
本発明は波長多重光送信装置、波長多重光伝送システム、四光波混合抑制方法、波長多重光受信装置及び受信方法に関し、特に入力される複数の電気信号をそれぞれ異なる波長の光信号に変換して出力する電気‐光変換手段を含む波長多重光送信装置に関する。
【背景技術】
【０００２】
ＷＤＭ（Ｗａｖｅｌｅｎｇｔｈ  Ｄｉｖｉｓｉｏｎ  Ｍｕｌｔｉｐｌｅｘｉｎｇ）は波長の異なる光信号を複数多重して伝送容量を増やす技術である。近年、伝送容量増大のための波長多重数増の要求はますます大きくなってきているが、波長帯域を広げるためには現在広く普及しているエルビウム添加ファイバ光増幅器では限界があり、理論上波長帯域に制限のないラマン増幅器などではコストが高くなってしまう。波長帯域に限界がある以上、波長多重数を増やすためには光信号の波長間隔を狭めて高密度化を図ることになる。ここで問題になるのが四光波混合（ＦＷＭ）である。
【０００３】
また、ＷＤＭが主に適用されるバックボーン伝送では、伝送容量増大の他に、伝送距離の長距離化が要求される。伝送距離の長距離化のためには、送信電力を上げることが必要である。しかし、送信電力をある閾値以上に大きくすると光ファイバ中の非線形現象が顕著に現れ始め、特にＷＤＭ伝送では、パラメトリック過程による複数波長の相互作用で発生するＦＷＭがお互いの信号のノイズ源となり、伝送品質が劣化する。
【０００４】
特許文献１には、ＦＷＭの発生を抑制すべく、波長多重光送信機の各光送信機からのＲＺ（Ｒｅｔｕｒｎ  ｔｏ  Ｚｅｒｏ）符号で変調された光信号の波長多重光送信機出力端におけるビット位相を０またはπに設定することが記載されている。特許文献１記載の技術では、ビット位相が異なる光信号が同時にオン状態となることがなく、ＦＷＭの発生を抑制することができる。
【０００５】
【特許文献１】特開平９−２７０７６９号公報
【発明の開示】
【発明が解決しようとする課題】
【０００６】
しかしながら、特許文献１記載の技術では、ＦＷＭの発生を抑制することができるのはＲＺ変調方式に限定されるという問題がある。
【０００７】
本発明の目的は、上述した課題を解決し、特定の変調方式に限定されることなくＦＷＭの発生を抑制することができる波長多重光送信装置、波長多重光伝送システム、四光波混合抑制方法、波長多重光受信装置及び受信方法を提供することにある。
【課題を解決するための手段】
【０００８】
本発明による波長多重光送信装置は、入力される複数の電気信号をそれぞれ異なる波長の光信号に変換して出力する電気‐光変換手段と、前記光信号の内の互いに隣接する波長を有する所定の光信号に対応する前記電気信号のビットが同時に光信号をオン状態とする値となる場合に該光信号の一方のオンオフ状態を変更する制御手段とを含むことを特徴とする。
【０００９】
本発明による波長多重光送信装置は、入力される複数の電気信号をそれぞれ異なる波長の光信号に変換して出力する電気‐光変換手段と、前記電気‐光変換手段の前段に設けられ、前記光信号の内の互いに隣接する波長を有する所定の光信号に対応する前記電気信号のビットが同時に光信号をオン状態とする値となる場合に該ビットの一方の値を変更する符号化手段とを含むことを特徴とする。
【００１０】
本発明による波長多重光伝送システムは、上記の波長多重光送信装置を含むことを特徴とする。
【００１１】
本発明による四光波混合抑制方法は、入力される複数の電気信号をそれぞれ異なる波長の光信号に変換して出力する電気‐光変換手段を含む波長多重光送信装置の四光波混合抑制方法であって、前記光信号の内の互いに隣接する波長を有する所定の光信号に対応する前記電気信号のビットが同時に光信号をオン状態とする値となる場合に該光信号の一方のオンオフ状態を変更するステップを含むことを特徴とする。
【００１２】
本発明による四光波混合抑制方法は、入力される複数の電気信号をそれぞれ異なる波長の光信号に変換して出力する電気‐光変換手段を含む波長多重光送信装置の四光波混合抑制方法であって、前記電気‐光変換手段の前段において、前記光信号の内の互いに隣接する波長を有する所定の光信号に対応する前記電気信号のビットが同時に光信号をオン状態とする値となる場合に該ビットの一方の値を変更するステップを含むことを特徴とする。
【００１３】
本発明による波長多重光受信装置は、入力される複数の電気信号をそれぞれ異なる波長の光信号に変換して出力する電気‐光変換手段と、前記光信号の内の互いに隣接する波長を有する所定の光信号に対応する前記電気信号のビットが同時に光信号をオン状態とする値となる場合に該光信号の一方のオンオフ状態を変更する制御手段とを含む波長多重光送信装置からの波長多重光信号を前記複数の電気信号に変換して出力する光‐電気変換手段と、前記制御手段によりオンオフ状態が変更された前記一方の光信号のオンオフ状態を変更する制御手段とを含むことを特徴とする。
【００１４】
本発明による波長多重光受信装置は、入力される複数の電気信号をそれぞれ異なる波長の光信号に変換して出力する電気‐光変換手段と、前記電気‐光変換手段の前段に設けられ、前記光信号の内の互いに隣接する波長を有する所定の光信号に対応する前記電気信号のビットが同時に光信号をオン状態とする値となる場合に該ビットの一方の値を変更する符号化手段とを含む波長多重光送信装置からの波長多重光信号を前記複数の電気信号に変換して出力する光‐電気変換手段と、前記光‐電気変換手段の後段に設けられ、前記符号化手段により前記対応する電気信号に付加され値が変更されたビットの位置を示す情報を基に前記対応する電気信号を復号する復号化手段とを含むことを特徴とする。
【００１５】
本発明による受信方法は、入力される複数の電気信号をそれぞれ異なる波長の光信号に変換して出力する電気‐光変換手段と、前記光信号の内の互いに隣接する波長を有する所定の光信号に対応する前記電気信号のビットが同時に光信号をオン状態とする値となる場合に該光信号の一方のオンオフ状態を変更する制御手段とを含む波長多重光送信装置からの波長多重光信号を前記複数の電気信号に変換して出力する光‐電気変換手段を含む波長多重光受信装置の受信方法であって、前記制御手段によりオンオフ状態が変更された前記一方の光信号のオンオフ状態を変更するステップを含むことを特徴とする。
【００１６】
本発明による受信方法は、入力される複数の電気信号をそれぞれ異なる波長の光信号に変換して出力する電気‐光変換手段と、前記電気‐光変換手段の前段に設けられ、前記光信号の内の互いに隣接する波長を有する所定の光信号に対応する前記電気信号のビットが同時に光信号をオン状態とする値となる場合に該ビットの一方の値を変更する符号化手段とを含む波長多重光送信装置からの波長多重光信号を前記複数の電気信号に変換して出力する光‐電気変換手段を含む波長多重光受信装置の受信方法であって、前記光‐電気変換手段の後段において、前記符号化手段により前記対応する電気信号に付加され値が変更されたビットの位置を示す情報を基に前記対応する電気信号を復号するステップを含むことを特徴とする。
【発明の効果】
【００１７】
本発明によれば、特定の変調方式に限定されることなくＦＷＭの発生を抑制することができるという効果が得られる。
【発明を実施するための最良の形態】
【００１８】
本発明の実施の形態について説明する前に、本発明の理解を助けるために、本発明の原理について図面を参照して説明する。図１は本発明の原理を説明するための波長多重光送信装置の概略機能ブロック図である。
【００１９】
図１に示した波長多重光送信装置は、入力される複数の電気信号をそれぞれ異なる波長の光信号に変換して出力する電気‐光変換手段１０２と、電気‐光変換手段１０２の前段に設けられ、電気‐光変換手段１０２から出力される光信号の内の互いに隣接する波長を有する所定の光信号に対応する電気信号のビットが同時に光信号をオン状態とする値となる場合に該ビットの一方の値を変更する符号化手段１０１とを含む。
【００２０】
このように、符号化手段１０１は互いに隣接する波長を有する所定の光信号に対応する電気信号のビットが同時に光信号をオン状態とする値となる場合に該ビットの一方の値を変更するようにしているので、互いに隣接する波長の光信号が同時にオン状態となることがなく、したがって、特定の変調方式に限定されることなくＦＷＭの発生を抑制することができる。
【００２１】
なお、符号化手段１０１は電気‐光変換手段１０２の前段に設けられるが、これに限定されるものではなく、電気‐光変換手段１０２から出力される光信号の内の互いに隣接する波長を有する所定の光信号に対応する電気信号のビットが同時に光信号をオン状態とする値となる場合に該光信号の一方のオンオフ状態を変更する制御手段であればよい。
【００２２】
図２は本発明の原理を説明するための波長多重光受信装置の概略機能ブロック図である。図２に示した波長多重光受信装置は、入力される複数の電気信号をそれぞれ異なる波長の光信号に変換して出力する電気‐光変換手段と、電気‐光変換手段の前段に設けられ、電気‐光変換手段から出力される光信号の内の互いに隣接する波長を有する所定の光信号に対応する電気信号のビットが同時に光信号をオン状態とする値となる場合に該ビットの一方の値を変更する符号化手段とを含む波長多重光送信装置からの波長多重光信号を複数の電気信号に変換して出力する光‐電気変換手段２０１と、光‐電気変換手段２０１の後段に設けられ、符号化手段により上記対応する電気信号に付加され値が変更されたビットの位置を示す情報を基に上記対応する電気信号を復号する復号化手段２０２とを含む。
【００２３】
このように、波長多重光送信装置の符号化手段は互いに隣接する波長を有する所定の光信号に対応する電気信号のビットが同時に光信号をオン状態とする値となる場合に該ビットの一方の値を変更すると共に値が変更されたビットの位置を示す情報を付加するようにしているので、波長多重光受信装置の復号化手段２０２はこの情報を基に復号を行う。
【００２４】
以下、本発明の実施の形態について図面を参照して説明する。
【００２５】
図３は本発明の第１の実施の形態による波長多重光伝送システムの構成を示す図である。図３に示した波長多重光伝送システムは、光ファイバ３を介して接続された送信局１と受信局２とを含む。送信局１は、ｎ個の入力信号ｓｉｇ１〜ｓｉｇ  ｎをｎ個の異なる波長のキャリアに乗せて受信局２に送る機能を持つ。
【００２６】
送信局１は、互いに隣接する波長の光信号λｍ及びλｍ＋１が同時にオン状態とならないように、光信号λｍ及びλｍ＋１に対応する入力信号ｓｉｇ  ｍ及びｓｉｇ  ｍ＋１を同期を取った上で符号化してλｍ及びλｍ＋１用信号として出力する隣接同期符号化部１０と、符号化後のｎ個の信号をそれぞれ異なる波長のｎ個の光信号λ１〜λｎに変換するＥ／Ｏ（電気‐光変換）部１１と、ｎ個の光信号λ１〜λｎを合波する光合波部１２とを有する。
【００２７】
受信局２は、伝送路の波長分散を補償する分散補償部４と、受信されたＷＤＭ信号を各波長に分波する光分波部１３と、分波された各波長の光信号λ１〜λｎを電気信号に変換するＯ／Ｅ（光‐電気変換）部１４と、互いに隣接する波長の光信号λｍ及びλｍ＋１に対応する電気信号ｓｉｇ  ｍ及びｓｉｇ  ｍ＋１を隣接同期符号化部１０と逆の手順で復号して信号出力する隣接同期復号化部１５とを有する。
【００２８】
次に、本発明の第１の実施の形態による波長多重光伝送システムの動作について図３及び図４を参照して説明する。図４（ａ）は１ビット毎に追加ビットを挿入する場合のビットパターン変換例を示す図であり、図４（ｂ）は追加ビットとビットパターンの対応関係を示す図である。
【００２９】
本発明の第１の実施の形態では、送信局１において、隣接同期符号化部１０は、互いに隣接する波長の光信号λｍ及びλｍ＋１に対応する入力信号ｓｉｇ  ｍ及びｓｉｇ  ｍ＋１の同期を取り、そして、図４（ａ）及び（ｂ）に示すように１ビット毎に追加ビットを挿入して、λｍ及びλｍ＋１用信号として出力する。
【００３０】
すなわち、隣接同期符号化部１０は、ビットパターンがパターン（１）（信号ｓｉｇ  ｍ及びｓｉｇ  ｍ＋１のビットが共に“０”）、パターン（２）（信号ｓｉｇ  ｍ及びｓｉｇ  ｍ＋１のビットがそれぞれ“０”及び“１”）、パターン（３）（信号ｓｉｇ  ｍ及びｓｉｇ  ｍ＋１のビットがそれぞれ“１”及び“０”）の場合、追加ビットの値を“０”とし、元のビットの値は変更しない。
【００３１】
また、隣接同期符号化部１０は、ビットパターンがパターン（４）（信号ｓｉｇ  ｍ及びｓｉｇ  ｍ＋１のビットが共に“１”（光信号をオン状態とする値））の場合、信号ｓｉｇ  ｍに挿入されるλｍ追加ビットの値を“０”、信号ｓｉｇ  ｍ＋１に挿入されるλｍ＋１追加ビットの値を“１”とし、信号ｓｉｇ  ｍ＋１の元のビットの値（λｍ＋１用信号の１ビット目の値）を“０”とし、信号ｓｉｇ  ｍの元のビットの値（λｍ用信号の１ビット目の値）は変更しない。
【００３２】
これにより、隣接同期符号化部１０から出力されるλｍ及びλｍ＋１用信号が同時に“１”になることがないので、互いに隣接する波長の光信号λｍ及びλｍ＋１が同時にオン状態となることが回避される。
【００３３】
受信局２では、Ｏ／Ｅ部１４が受信信号λ１〜λｎを電気信号に変換した後で、隣接同期復号化部１５は、隣接同期符号化部１０の上記手順と逆の手順で復号化を行って電気信号ｓｉｇ  ｍ及びｓｉｇ  ｍ＋１を出力する。
【００３４】
以上説明したように、本発明の第１の実施の形態では、隣接同期符号化部１０は、信号ｓｉｇ  ｍ及びｓｉｇ  ｍ＋１の１ビット毎に追加ビットを挿入し、信号ｓｉｇ  ｍ及びｓｉｇ  ｍ＋１のビットが同時に“１”とならないビットパターンに変換するようにしているので、互いに隣接する波長の光信号λｍ及びλｍ＋１が同時にオン状態となることがなく、ＦＷＭの発生を抑制することができる。
【００３５】
また、ＦＷＭの発生が抑制されることにより、非線形ペナルティが改善することが期待され、伝送距離の長距離化を図ることができる。また、ＦＷＭの発生が抑制されることにより、波長多重数を増やすために光信号の波長間隔を狭めて高密度化を図ることができ、伝送容量を増大させることができる。また、伝送距離の長距離化によって３Ｒ（Ｒｅ‐ａｍｐｌｉｆｉｃａｔｉｏｎ，  Ｒｅ‐ｔｉｍｉｎｇ，  Ｒｅ‐ｓｈａｐｉｎｇ）を削減し、低コスト化を図ることができる。すなわち、高価な光デバイスを用いることなく伝送距離の長距離化を図ることができる。
【００３６】
次に、本発明の第２の実施の形態について図面を参照して説明する。本発明の第２の実施の形態では、波長多重光伝送システムの構成は図３に示した構成と同じであるが、図３の隣接同期符号化部１０の動作が本発明の第１の実施の形態と異なっている。図５（ａ）は２ビット毎に追加ビットを挿入する場合のビットパターン変換例を示す図であり、図５（ｂ）は追加ビットとビットパターンの対応関係を示す図である。
【００３７】
本発明の第２の実施の形態では、送信局１において、隣接同期符号化部１０は、互いに隣接する波長の光信号λｍ及びλｍ＋１に対応する入力信号ｓｉｇ  ｍ及びｓｉｇ  ｍ＋１の同期を取り、そして、図５（ａ）及び（ｂ）に示すように２ビット毎に追加ビットを挿入して、λｍ及びλｍ＋１用信号として出力する。
【００３８】
すなわち、隣接同期符号化部１０は、２ビット毎のビットパターンがパターン（４）（信号ｓｉｇ  ｍ及びｓｉｇ  ｍ＋１のビットが共に“１”（光信号をオン状態とする値））を含まない場合、追加ビットの値を“０”とし、元のビットの値は変更しない。
【００３９】
また、隣接同期符号化部１０は、２ビット毎のビットパターンがパターン（４）を含む場合、追加ビットを挿入すると共に、パターン（４）の一方のビットの値を変更する。例えば２ビット毎のビットパターンの１ビット目がパターン（４）以外のパターン、２ビット目がパターン（４）である場合、隣接同期符号化部１０は、信号ｓｉｇ  ｍに挿入されるλｍ追加ビットの値を“０”、信号ｓｉｇ  ｍ＋１に挿入されるλｍ＋１追加ビットの値を“１”とし、元のビットのうちパターン（４）の信号ｓｉｇ  ｍ＋１のビットの値（λｍ＋１用信号の２ビット目の値）のみを変更して“０”とする。
【００４０】
これにより、隣接同期符号化部１０から出力されるλｍ及びλｍ＋１用信号が同時に“１”になることがないので、互いに隣接する波長の光信号λｍ及びλｍ＋１が同時にオン状態となることが回避される。
【００４１】
受信局２では、Ｏ／Ｅ部１４が受信信号λ１〜λｎを電気信号に変換した後で、隣接同期復号化部１５は、隣接同期符号化部１０の上記手順と逆の手順で復号化を行って電気信号ｓｉｇ  ｍ及びｓｉｇ  ｍ＋１を出力する。
【００４２】
以上説明したように、本発明の第２の実施の形態では、２ビット長毎に追加ビットを挿入するようにしているので、１ビット毎に追加ビットを挿入する本発明の第１の実施の形態に比べデータ量を抑えることができる。
【００４３】
なお、基本的には何ビット長毎に追加ビットを入れても追加ビットは１ビットで済むので、ビットレートが高い伝送ではビットレートが上がり過ぎないように、なるべく長いビット長毎に１ビット挿入するのが望ましい。
【００４４】
また、本発明の第１及び第２の実施の形態のように所定のビット長毎に追加ビットを挿入するのではなく、隣接同期符号化部１０は、信号ｓｉｇ  ｍ及びｓｉｇ  ｍ＋１のビットが同時に“１”となる場合にのみ、追加ビットを挿入して、信号ｓｉｇ  ｍ及びｓｉｇ  ｍ＋１のビットが同時に“１”とならないビットパターンに変換するようにしてもよい。
【００４５】
この場合、隣接同期符号化部１０は、ＯＴＮ（Ｏｐｔｉｃａｌ  Ｔｒａｎｓｐｏｒｔ  Ｎｅｔｗｏｒｋ）などのビットフレームのオーバーヘッド部に追加ビットを挿入した位置をポインタ指定し、受信局２の隣接同期復号化部１５はそのポインタ情報を基に復号を行う。このように信号ｓｉｇ  ｍ及びｓｉｇ  ｍ＋１のビットが同時に“１”となる場合にのみ追加ビットを挿入する方式では、同時に“１”になる確率が低い状況においてビットレートに対する信号スループットの効率が良くなる。
【００４６】
また、以上説明したように追加ビットを挿入するのではなく、隣接同期符号化部１０は、信号ｓｉｇ  ｍ及びｓｉｇ  ｍ＋１のビットが同時に“１”となる場合に、該ビットの一方の値を変更し、値が変更されたビットの位置を示す情報を例えば上述したオーバーヘッド部に付加するようにしてもよいことは勿論である。この場合、隣接同期復号化部１５はこの情報を基に復号を行う。
【図面の簡単な説明】
【００４７】
【図１】本発明の原理を説明するための波長多重光送信装置の概略機能ブロック図である。
【図２】本発明の原理を説明するための波長多重光受信装置の概略機能ブロック図である。
【図３】本発明の実施の形態による波長多重光伝送システムの構成を示す図である。
【図４】（ａ）は１ビット毎に追加ビットを挿入する場合のビットパターン変換例を示す図であり、（ｂ）は追加ビットとビットパターンの対応関係を示す図である。
【図５】（ａ）は２ビット毎に追加ビットを挿入する場合のビットパターン変換例を示す図であり、（ｂ）は追加ビットとビットパターンの対応関係を示す図である。
【符号の説明】
【００４８】
１    送信局
２    受信局
３    光ファイバ
４    分散補償部
１０    隣接同期符号化部
１１    Ｅ／Ｏ部
１２    光合波部
１３    光分波部
１４    Ｏ／Ｅ部
１５    隣接同期復号化部
１０１    符号化手段
１０２    電気‐光変換手段
２０１    光‐電気変換手段
２０２    復号化手段
【図１】
0005045501.tif 000002
【図２】
0005045501.tif 000003
【図３】
0005045501.tif 000004
【図４】
0005045501.tif 000005
【図５】
0005045501.tif 000006